(57)【要約】【課題】スマートフォンなどの携帯端末を利用することにより通過可能な自動改札機において、携帯端末での入出場利用時に各種コンテンツの配信を行う自動改札システムを提供することできる。【解決手段】各駅に配置された自動改札機と、前記自動改札機と通信可能に接続された情報管理部とを用いる自動改札システムにおいて、前記自動改札機は、利用者が所持する移動経路を示す情報を記憶した携帯端末と通信を行う通信部と、前記移動経路を示す情報に基づき前記利用者が所持する携帯端末へコンテンツを配信する配信手段と、を有する自動改札システム。【選択図】図１
2013222274.tif 000002
【特許請求の範囲】
【請求項１】
各駅に配置された自動改札機と、前記自動改札機と通信可能に接続された情報管理部と
を用いる自動改札システムにおいて、
前記自動改札機は、
利用者が所持する移動経路を示す情報を記憶した携帯端末と通信を行う通信部と、
前記移動経路を示す情報に基づき前記利用者が所持する携帯端末へコンテンツを配信する
配信手段と、
を有する自動改札システム。
【請求項２】
前記自動改札機の有する配信手段は、
利用者が駅構内へ入場する際には、コンテンツとして駅構内へ入場してから列車に乗車す
るまでの情報、車両設備などの情報、及び、列車から降車してから駅構外へ出場するまで
の情報などを配信する請求項１記載の自動改札システム。
【請求項３】
前記自動改札機の有する配信手段は、
利用者が駅構外へ出場する際には、コンテンツとして宿泊施設、観光案内、広告の情報な
どを配信する請求項１記載の自動改札システム。
【請求項４】
前記自動改札機の有する配信手段は、
無線ＬＡＮ接続にて前記携帯端末と通信を行う請求項１乃至請求項３記載の自動改札シス
テム。
【発明の詳細な説明】
【技術分野】
【０００１】
本発明の実施形態は、自動改札システムに関する。
【背景技術】
【０００２】
駅構内の案内や車両設備の案内などは、構内や社内の案内図などで旅客に案内するしか
なく旅客が案内を必要とするときに必要な案内情報を得ることが出来なかった。また、入
場時に着駅の移動に関する情報を得ることが出来なかった。
【０００３】
また、出場時も同様に宿泊などの情報を観光案内所や駅インフォメーションなどを訪れて
入手する必要があった（例えば、特許文献１参照。）。
【先行技術文献】
【特許文献】
【０００４】
【特許文献１】特開２００７−２４９３９５号公報
【発明の概要】
【発明が解決しようとする課題】
【０００５】
解決しようとする課題は、スマートフォンなどの携帯端末を利用することにより通過可能
な自動改札機において、携帯端末での入出場利用時に各種コンテンツの配信を行う自動改
札システムを提供することを目的とする。
【課題を解決するための手段】
【０００６】
課題を解決するため、本発明の実施形態の自動改札システムは、各駅に配置された自動
改札機と、前記自動改札機と通信可能に接続された情報管理部とを用いる自動改札システ
ムにおいて、前記自動改札機は、利用者が所持する移動経路を示す情報を記憶した携帯端
末と通信を行う通信部と、前記移動経路を示す情報に基づき前記利用者が所持する携帯端
末へコンテンツを配信する配信手段と、を有する。
【図面の簡単な説明】
【０００７】
【図１】本発明の自動改札システムの概略構成図である。
【図２】制御動作を示すフローチャートである。
【発明を実施するための形態】
【０００８】
以下、本発明の実施の形態を図面に基づいて説明する。
【０００９】
（実施の形態１）
図１は、本発明の実施の形態に係る自動改札システムの概略構成図である。図１中、ａ
は、一つの駅に設置されている自動券売機、及びＧは自動改札機（非接触券と非接触で交
信して処理する非接触型のいずれか一方、またはそれら両方を含む。）である。また、１
は、これら駅務機器（ａ，Ｇ）と通信回線Ｌ１を介して接続され、これら駅務機器（ａ，
Ｇ）を管理制御する周知の駅務機器制御装置と同様の駅務機器制御装置、いわゆる駅制で
あって、駅務機器の売上の集計処理や通過人数の集計処理等の所定の管理処理ができるよ
うに構成されている。
【００１０】
この駅制１には、１台の自動券売機ａ及び１台の自動改札機Ｇしか接続されていないが、
実際は、複数台の自動券売機、複数台の自動改札機及び図示しない自動精算機や自動定期
券発売機等の他の駅務機器が接続されているが、ここでは図面を簡略化するために省略さ
れている。
【００１１】
図１中、２は、駅の係員室等の所定の場所又は鉄道会社の本社等の所定の中央に設けられ
たホストコンピュータを中心に構成された管理機であって、上記駅制１と通信回線Ｌ２を
介して接続されている。この管理機２には、通信回線Ｌ３を介して利用者（旅客）の所持
する、本発明の携帯端末機に相当する携帯電話機（以下、携帯電話として説明する。）Ｋ
との間で交信するための通信制御部３が接続されている。この交信には種々の通信規格が
適用可能であるが、一例としては、無線ＬＡＮ（ＩＥＥＥ８０２．１１）規格である。
【００１２】
管理機２には、通信回線Ｌ４を介して駅構内の所定の場所に設置されている表示板Ｄとも
接続されていて、その表示板Ｄを介して列車案内等の所定の案内ができるように構成され
ている。すなわち、この管理機２には、図示しない列車運行管理装置等の上位機と接続さ
れていて、その上位機から入力された列車の運行情報等の列車に関する情報に基づいて、
表示板Ｄに対して従来の表示板の表示と同様の「列車名、出発番線、発車時刻」の大まか
な案内ができるように構成されている。なお、この管理機２には、上述の列車に関する情
報だけでなく、列車の発着する駅周辺の観光案内等の情報、宿泊施設の情報も入力される
ように構成されている。
【００１３】
携帯電話機Ｋは、周知の携帯電話機と同様に、図示しない所定の基地局を介して他の携帯
電話や固定電話機等との間で交信ができるとともに、管理機２に接続されている通信制御
部３を介して管理機２との間でも交信できるように構成されている。なお、管理機２と携
帯電話Ｋとの交信は、通信制御部３を介さずに、管理機２を携帯電話Ｋと通信可能な公衆
電話の回線網に接続して行うようにしてもよい。また、表示板Ｄに携帯電話Ｋと交信でき
る機能を持たせて、その表示部Ｄと携帯電話Ｋとの間で交信できるようにしてもよい。
【００１４】
以下、図２のフローチャートを用いて携帯電話Ｋを用いた案内サービスを受けるときの
制御動作について説明する。
【００１５】
図２は、携帯電話Ｋを所持している利用者（旅客）が自動改札機Ｇを介して入場し、所
定の列車に乗車した後、再び、自動改札機Ｇを介して出場する間に受けられる案内サービ
スの制御動作を示している。この場合、携帯電話Ｋは、自動改札機Ｇを介して入場する場
合にその自動改札機Ｇ又はその近傍に設けられているアンテナ（図示せず）から送出され
る所定の信号により、案内データ受信可能モードに設定される（Ｓ３００のＹｅｓ、Ｓ３
０２）。この設定は、自動改札機Ｇが無線通信機能を備えたＩＣカードからなる非接触券
を処理することのできる非接触型のときは、その非接触型の自動改札機に設けられている
アンテナに携帯電話Ｋを軽くタッチして、又はそのアンテナにかざすことにより行うよう
にしてもよい。
【００１６】
携帯電話Ｋが自動改札機Ｇを通過して案内サービスが開始されると、携帯電話Ｋと管理
機２との交信が可能となり、例えば、利用者が途中駅に関する所定の情報（これらの情報
を総称してコンテンツとする）を入手しようとするときは、携帯電話Ｋと管理機２との間
で交信してその所定の情報を表示画面Ｋ′に表示させることができる（Ｓ３０４のＹｅｓ
、Ｓ３０６、Ｓ３０８）。管理機２から提供を受けることができる情報としては、列車の
発着時刻以外に駅やその周辺の観光情報等も含まれる。また、携帯電話Ｋを所持して列車
に乗車したときに、その列車内で流されているニュース等をその携帯電話Ｋの表示画面Ｋ
′に表示するサービスを受けることもできる。このような各種情報の入手は、携帯電話Ｋ
が自動改札機Ｇを介して出場するまで可能である（Ｓ３１０肯定、Ｓ３１２肯定）。すな
わち、携帯電話Ｋは、自動改札機Ｇから出場するとき、入場時と同様にして自動改札機Ｇ
側からの信号を受け、その信号により案内サービスが終了とされる。
【００１７】
また、携帯電話Ｋに指定席の情報などを記憶しておき、入場時に自動改札機Ｇが当該情
報を読み取ったことに基づいて、駅構内へ入場してから列車に乗車するまでの情報（該当
の列車が何番線ホームで乗車可能かなど）、車両設備などの情報（列車指定席に最寄りの
乗車位置やトイレ位置の情報など）、列車から降車してから駅構外へ出場するまでの情報
（改札口の位置の情報など）を携帯電話Ｋの表示画面Ｋ´で確認できるようにしてもよい
。
【００１８】
なお、この発明は、上記実施形態そのままに限定されるものではなく、実施段階ではその
要旨を逸脱しない範囲で構成要素を変形して具体化できる。また、上記実施形態に開示さ
れている複数の構成要素の適宜な組み合せにより種々の発明を形成できる。例えば、実施
形態に示される全構成要素から幾つかの構成要素を削除してもよい。更に、異なる実施形
態に亘る構成要素を適宜組み合せてもよい。
【符号の説明】
【００１９】
ａ  自動券売機
Ｇ  自動改札機（非接触式自動改札機）
１  駅制
２  管理機
３  通信制御部
Ｌ１〜Ｌ４  通信回線
Ｋ  携帯電話機（携帯端末機）
【図１】
2013222274.tif 000003
【図２】
2013222274.tif 000004